(57)【特許請求の範囲】
【請求項１】
外線を収容する主装置と、前記主装置に内線として収容される複数のボタン電話機とからなるボタン電話装置において、
前記主装置は、
各ボタン電話機をそれぞれ利用する各利用者の個人情報をそれぞれ記憶する記憶部と、
前記ボタン電話機の所定の操作に応じて前記記憶部のこのボタン電話機に対応する個人情報を、第三者による閲覧から保護される保護対象情報として設定する設定部と
を備え、
前記個人情報は、利用者により登録された電話帳情報と、利用者により登録されたワンタッチダイヤル情報と、利用者が発信した履歴を示す発信履歴情報と、利用者宛への着信の履歴を示す着信履歴情報とを含み、
前記設定部は、前記ボタン電話機から入力されたパスワードと予め登録されているパスワードとの一致を検出すると、このボタン電話機に対応する前記個人情報を、第三者による閲覧から保護される保護対象情報として設定し、
前記ボタン電話機の前記発信履歴情報が前記保護対象情報として設定されている場合は、このボタン電話機の外線発信操作に基づくダイヤル番号を含む情報は発信履歴情報として記憶しないことを特徴とするボタン電話装置。
【請求項２】
請求項１において、
前記ボタン電話機の前記着信履歴情報が前記保護対象情報として設定されていても、このボタン電話機への着信の際の着信情報は着信履歴情報として記憶されることを特徴とするボタン電話装置。
【発明の詳細な説明】
【技術分野】
【０００１】
本発明は、主装置に外線及び複数のボタン電話機を収容したボタン電話装置に関し、特に、各ボタン電話機の利用者がそれぞれ個人情報として登録し使用することができる例えば短縮ダイヤル用の登録エリアを備えたボタン電話装置に関する。
【背景技術】
【０００２】
この種のボタン電話装置として、従来より複数のボタン電話機が内線を介して接続された主装置に短縮ダイヤル用のメモリを設け、この短縮ダイヤルメモリにボタン電話機側から相手電話番号を登録する一方、発呼時にはボタン電話機のダイヤルキー中の特定キー（例えば＊キー）を操作して短縮ダイヤルメモリを選択し、しかる後、ダイヤルキーで短縮番号を入力して、この短縮番号で指定されるアドレスに登録された電話番号を読み出すことにより、この電話番号に対応するダイヤル信号を送出するように構成している装置がある（特許文献１）。
【０００３】
ここで、上記ボタン電話装置では、短縮ダイヤルメモリの登録エリアは、各ボタン電話機毎に共通に使用できる共通エリアと、各ボタン電話機毎に割り当てられた個別エリアとに分割され、１台のボタン電話機当たりの最大登録数は共通エリアと個別エリアとを合わせて１００となっており、或るボタン電話機が１００以上の短縮ダイヤルを登録したい場合には登録できないという問題があった。このため、各ボタン電話機ともに、他のボタン電話機の個別エリアを無条件で選択できるように構成したり、或いは、各ボタン電話機毎に個別エリアに条件を設けて他のボタン電話機から選択されないように構成したり、さらには、特定のボタン電話機のみが他のボタン電話機の個別エリアを選択できるように構成している。
【特許文献１】特開昭６２−１０５５６５号公報
【発明の開示】
【発明が解決しようとする課題】
【０００４】
しかしながら従来のボタン電話装置は、例えばボタン電話機Ａの本来の利用者ａ以外の第三者ｂがそのボタン電話機Ａに個人用として割り当てられた本来の利用者ａ用の短縮ダイヤルを使用して短縮ダイヤル発信を行うことが可能になってしまうという問題が生じるとともに、ボタン電話機Ａの本来の利用者ａの例えば発信や着信の際の履歴が記録されるような場合にはこれら発信履歴情報や着信履歴情報が利用者ｂにより閲覧されてしまい、利用者ａのプライバシーを保護することができないという問題があった。
【０００５】
したがって本発明は、ボタン電話機の利用者の個人用として記録されている個人情報の第三者による利用や閲覧を阻止し、利用者のプライバシーを保護することを目的とする。
【課題を解決するための手段】
【０００６】
このような課題を解決するために本発明は、外線を収容する主装置と、主装置に内線として収容される複数のボタン電話機とからなるボタン電話装置において、主装置に、各ボタン電話機をそれぞれ利用する各利用者の個人情報をそれぞれ記憶する記憶部と、ボタン電話機の所定の操作に応じて記憶部のこのボタン電話機に対応する個人情報を、第三者の閲覧から保護されるための保護対象情報として設定する設定部とを備え、個人情報は、利用者により登録された電話帳情報と、利用者により登録されたワンタッチダイヤル情報と、利用者が発信した履歴を示す発信履歴情報と、利用者宛への着信の履歴を示す着信履歴情報とを含み、設定部は、ボタン電話機から入力されたパスワードと予め登録されているパスワードとの一致を検出すると、このボタン電話機に対応する個人情報を、第三者による閲覧から保護される保護対象情報として設定し、ボタン電話機の発信履歴情報が保護対象情報として設定されている場合は、このボタン電話機の外線発信操作に基づくダイヤル番号を含む情報は発信履歴情報として記憶しないことを特徴とする。
【０００８】
また、主装置は、ボタン電話機から入力されたパスワードと予め登録されているパスワードとの一致を検出すると、このボタン電話機に対応して設定されている保護対象情報の設定を無効とする無効手段を有する。
【０００９】
また、記憶部は各ボタン電話機の各個人情報にそれぞれ対応して保護ビットが割り当てられた保護テーブルを有している。
【発明の効果】
【００１０】
本発明によれば、各ボタン電話機をそれぞれ利用する各利用者の電話帳情報、ワンタッチダイヤル情報、発信履歴情報及び着信履歴情報等の個人情報をそれぞれ主装置の記憶部に記憶し、ボタン電話機の所定の操作に応じて記憶部の前記ボタン電話機に対応する個人情報を、第三者からの閲覧を保護するための保護対象情報として設定するように構成したので、ボタン電話機の利用者の個人情報の第三者による利用や閲覧が阻止され、したがって、利用者のプライバシーを保護することができる。
また、保護対象情報の設定の際に、保護対象情報としての個人情報と非保護対象情報としての個人情報とをボタン電話機の表示部に識別可能に表示するようにしたので、保護対象情報の設定の際に確実な設定を行うことができる。
【発明を実施するための最良の形態】
【００１１】
以下、本発明について図面を参照して説明する。
図１は、本発明に係るボタン電話装置の構成を示すブロック図である。本ボタン電話装置は、主装置１０と、主装置１０に収容されたボタン電話機（以下、子機）２０Ａ〜２０Ｎとからなり、主装置１０には複数のＩＳＤＮ回線である外線１１ａ〜１１ｍが収容され、これらの外線１１ａ〜１１ｍからなる外線群１１は交換網１に接続される。
【００１２】
主装置１０は、外線１１ａ〜１１ｍの発着信を制御する外線Ｉ／Ｆ部１２と、子機２０Ａ〜２０Ｎのインタフェースである内線Ｉ／Ｆ部１３と、主制御部１４と、主記憶部１５と、外線１１ａ〜１１ｍと子機２０Ａ〜２０Ｎ間の通話パスを接続するためのＴスイッチ（タイムスイッチ）１６とから構成される。
一方、子機２０は、主装置１０との伝送を行う伝送Ｉ／Ｆ部２１、通話回路２２、子機制御部２３、ダイヤルキーや外線キーなどの操作入力部２４、表示部２５、メモリ２６、送受器２７、増幅器２８及びスピーカ２９等を有している。
【００１３】
以上のように構成されたボタン電話装置において、例えば子機２０Ａの利用者が外線発信を行うために操作入力部２４の外線キーを操作し、かつダイヤルキーを操作して相手番号をダイヤルすると、これらの操作情報は子機制御部２３により検出され伝送Ｉ／Ｆ部２１を介して主装置１０へ送信される。主装置１０の主制御部１４は、外線キー及びダイヤルキーの操作情報を内線Ｉ／Ｆ部１３を介して受信すると、これらの操作情報を外線Ｉ／Ｆ部１２へ送って例えば外線１１ａを介して交換網１側へ発呼させる。このような外線発呼に対し相手応答が交換網１側から通知されると、主制御部１４は、Ｔスイッチ１６を制御して外線１１ａと子機２０Ａ間の通話パスを接続する。これにより、子機２０Ａの利用者による外線発信通話が行われる。
【００１４】
一方、交換網１から例えば外線１１ａに着信が到来すると、この外線着信は外線Ｉ／Ｆ部１２により検出されて主制御部１４に通知される。この場合、主制御部１４は内線Ｉ／Ｆ部１３を介して該当する宛先の子機２０Ａへ着信データを伝送する。また、着信の到来時には主制御部１４は交換網１から通知された発信者電話番号を取得して該当の子機２０Ａへ伝送する。子機２０Ａでは主装置１からの発信者電話番号及び着信データを伝送Ｉ／Ｆ部２１Ａにより受信すると、子機制御部２３へ伝達する。子機制御部２３は発信者電話番号を受信すると表示部２５に表示し、着信データを受信すると増幅器２８を制御して着信音をスピーカ２９から送出する着信鳴動処理を行う。
【００１５】
子機２０Ａの利用者が、着信鳴動を認識してその着信に応答するために送受器２７を上げることによりオフフックすると、このオフフックに基づくフックスイッチ情報が操作入力部２４から子機制御部２３へ伝達され子機制御部２３により検出される。この場合、子機制御部２３は伝送Ｉ／Ｆ部２１からオフフック情報を主装置１０へ送信させる。主装置１０の主制御部１４は、内線Ｉ／Ｆ部１３を介してオフフック情報を受信すると、外線Ｉ／Ｆ部１２に対し着信応答制御を行うとともに、Ｔスイッチ１６を制御して外線１１ａと子機２０Ａ間の通話パスを接続する。これにより子機２０Ａの利用者による外線着信応答通話が行われる。
【００１６】
以上のように構成されたボタン電話装置では、図２に示すように、主装置１０の主記憶部１５内に、各子機２０Ａ〜２０Ｎ毎に、電話帳エリア１５Ａ１、ワンタッチダイヤルエリア１５Ａ２、発信履歴情報記録エリア１５Ａ３、着信履歴情報記録エリア１５Ａ４等の各エリアが設けられている。また、主記憶部１５内には各子機共通の電話帳エリア１５Ｂも設けられている。
【００１７】
このため、各子機２０Ａ〜２０Ｎの利用者は、それぞれ個人用としての電話帳を作成して自身の電話帳エリア１５Ａ１に登録し利用することができる。また、ワンタッチダイヤルエリア１５Ａ２に個人用としての相手電話番号と相手の名前とを登録し利用することができる。こうした電話帳エリア１５Ａ１に登録した個人用の電話帳や、ワンタッチダイヤルエリア１５Ａ２に登録した個人用のワンタッチダイヤルを用いて発信した場合、通常のダイヤル操作による発信と同様、その個人の発信履歴情報記録エリア１５Ａ３に発信履歴として記録される。また、共通の電話帳エリア１５Ｃに登録された電話帳を用いて発信した場合も同様に、その個人の発信履歴情報記録エリア１５Ａ３に発信履歴として記録される。また、着信履歴情報記録エリア１５Ａ４には、その個人宛の着信が着信履歴として記録される。
【００１８】
このように、各子機２０Ａ〜２０Ｎにはそれぞれ電話帳エリア１５Ａ１、ワンタッチダイヤルエリア１５Ａ２、発信履歴情報記録エリア１５Ａ３、着信履歴情報記録エリア１５Ａ４が割り当てられており、これらのエリアに登録または記録されている各利用者の情報（各利用者の個人情報）は、それぞれ対応の子機２０において所定操作を行うことにより対応の子機２０のみから閲覧することが可能である。しかし、この子機２０の本来の利用者以外の者がこの子機２０において所定操作を行うことにより、本来の利用者以外の第三者であっても閲覧可能になるという問題があり、子機２０の本来の利用者のプライバシーが保護できなくなることから、こうした子機２０の本来の利用者の個人情報が登録または記録される電話帳エリア１５Ａ１、ワンタッチダイヤルエリア１５Ａ２、発信履歴情報記録エリア１５Ａ３及び着信履歴情報記録エリア１５Ａ４を、図２に示すように、保護対象情報記録エリア１５Ａとし、これらのエリアの情報を保護できるようにする。
【００１９】
また、上記の電話帳エリア１５Ａ１、ワンタッチダイヤルエリア１５Ａ２、発信履歴情報記録エリア１５Ａ３及び着信履歴情報記録エリア１５Ａ４の各情報は、図２の保護テーブル１５Ｃに示されるように、個別に、かつ、各子機２０Ａ〜２０Ｎ毎に、保護するか否かを設定できる。
【００２０】
図３は、各子機２０Ａ〜２０Ｎの各利用者の個人情報である、電話帳エリア１５Ａ１、ワンタッチダイヤルエリア１５Ａ２、発信履歴情報記録エリア１５Ａ３及び着信履歴情報記録エリア１５Ａ４の各情報を、他者からの閲覧を阻止（保護）する保護対象情報として設定するボタン電話装置の動作を示すフローチャートである。このフローチャートにしたがって本発明の要部動作を説明する。
【００２１】
例えば子機２０Ａの利用者は、子機２０Ａの所定操作を行うことにより、メニューを選択し（ステップＳ１）、表示部２５に表示されたそのメニュー画面の中のパスワード管理を選択すると（ステップＳ２のＹＥＳ）、この「パスワード管理」に該当する、「パスワードの登録・変更」、「保護対象メニューの選択」、「電話機の機能設定・変更」の各項目が表示部２５に表示される。ここで、利用者が「パスワードの登録・変更」を選択すると、表示部２５には「パスワードの登録・変更画面」が表示され（ステップＳ３）、「保護対象メニューの選択」を選択すると、表示部２５には「保護対象メニューの選択（保護・保護解除）画面」が表示され（ステップＳ４）、「電話機の機能設定・変更」を選択すると、表示部２５には「電話機の機能設定・変更画面」が表示される。なお、このような子機２０Ａにおける選択操作は、子機２０Ａの操作入力部２４に設けられたカーソルキーや決定キーを操作することにより行われる。そして、これらの操作データは主装置１０側へ送られ、主装置１０側ではこれらの操作データに応じた画面表示データを子機２０Ａ側へ送って表示部２５に表示させるようにしている。以下においても同様である。
【００２２】
利用者は、自身の上記個人情報を保護対象情報として設定する場合、まず、「パスワードの登録・変更」を選択して表示部２５に「パスワードの登録・変更画面」を表示させ（ステップＳ３）、次にこの画面において「パスワード登録」を選択して（ステップＳ６でＹＥＳ）、「パスワード登録画面」を表示部２５に表示させる。そして、この「パスワード登録画面」において、ダイヤルキー等を用いてパスワードの入力を行いそれを表示部２５に表示させて確認するパスワードの設定を行った後（ステップＳ７でＹＥＳ）、さらに決定キーを押下すると（ステップＳ８でＹＥＳ）、ステップＳ７で設定されたパスワードが主装置１０の主記憶部１５内の子機２０Ａに対応するエリアに登録される（ステップＳ９）。
【００２３】
こうしてパスワードを登録した後、子機２０Ａの利用者が「保護対象メニューの選択」を選択して、表示部２５に「保護対象メニューの選択（保護・保護解除）画面」を表示させ（ステップＳ４）、その画面上で、ダイヤルキーを用いてパスワードを入力し（ステップＳ１０でＹＥＳ）、この入力したパスワードが登録したパスワードとの一致が主装置１０において確認された後、さらに、利用者により「保護対象メニューの保護」が選択されると（ステップＳ１１でＹＥＳ）、主装置１０から保護対象メニューの一覧表示データが子機２０Ａに送られ表示部２５に表示される（ステップＳ１２）。
【００２４】
この保護対象メニュー一覧データは、この子機２０Ａの利用者の個人情報である、前述の電話帳情報、発信履歴情報、着信履歴情報及びワンタッチダイヤル情報等を含み、これらの各個人情報の何れかが保護対象情報として個別に設定可能になっているか、或いはこれらの各個人情報の全て（ＡＬＬ）が保護対象情報として設定可能になっている。子機２０Ａの利用者は、自身の各個人情報の中から、他者からの閲覧を保護する保護対象情報について選択する（ステップＳ１３でＹＥＳ）。この選択情報が主装置１０側へ送られ、主装置１０側でこの選択情報に対応する表示データ（通常の表示データとは異なる例えば白抜きの表示データ）が子機２０Ａ側へ返送されることにより、選択された保護対象の個人情報が非保護対象の個人情報と識別可能に子機２０Ａの表示部２５に表示される（ステップＳ１４）。ここで、利用者が表示部２５の表示を確認して決定キーを押下すると（ステップＳ１５でＹＥＳ）、選択された保護対象の個人情報が主装置１０へ送られ、主装置１０の主制御部１４は、前述した主記憶部１５内の保護テーブル１５Ｃに、該当子機２０Ａの保護対象情報として選択された個人情報に対応する保護ビットを“１”を設定する（ステップＳ１６）。
【００２５】
こうして、保護対象情報として設定された個人情報については、子機２０Ａの利用者以外の第三者による閲覧は阻止されることは勿論のこと、子機２０Ａの本来の利用者による閲覧も阻止される。
【００２６】
子機２０Ａの利用者は自身の子機２０を使用する場合は、保護対象情報として設定された個人情報の保護解除を行ってから使用する。即ち例えば子機２０Ａの利用者は出勤時に自身の子機２０Ａを用いて自身のパスワードを入力することにより、保護対象情報の設定を無効とするモードにして使用する。このモードにおいては子機２０Ａの利用者の個人情報の閲覧が可能になる。即ち、子機２０Ａにおいて「保護対象メニューの選択」を選択して、表示部２５に「保護対象メニューの選択（保護・保護解除）画面」を表示させ（ステップＳ４）、その画面上で、ダイヤルキーを用いてパスワードを入力した後（ステップＳ１０でＹＥＳ）、さらに、「保護対象メニューの保護解除」を選択すると（ステップＳ１７でＹＥＳ）、主装置１０の主制御部１４は、この選択情報を入力して、入力したパスワードと登録パスワードとが一致する場合は、主記憶部１５内の保護テーブル１５Ｃの該当子機２０Ａの保護対象情報の設定を無効とするモードを設定する（ステップＳ１８）。
【００２７】
こうしたモードの設定は、その子機２０Ａが所定時間の間、操作（使用）されなければ、主装置１０の主制御部１４がその子機２０Ａの利用者は退社したと判断して、解除するか、或いはその子機２０Ａの操作入力部２４内の特定キーの操作を主制御部１４が検出して解除する。そして、このモードの解除後には、保護テーブル１５Ｃの設定にしたがった動作が行われる。
【００２８】
次に図４及び図５は、子機２０の利用者の個人情報が保護対象情報として設定された場合のボタン電話装置の動作を示すシーケンス図である。このシーケンス図にしたがい本発明の要部動作を説明する。まず、図４のシーケンス図に記載された動作から説明する。
子機２０Ａにおいて前述したようにパスワードの入力が行われると（ステップＳ３１）、この入力したパスワードが主装置１０に送られ、主装置１０の主制御部１４においてこの入力パスワードが登録されているパスワードと一致するか否かが確認される（ステップＳ３２）。そして、入力パスワードと登録パスワードとの一致が確認されると、以降のステップＳ３３〜Ｓ３６で示される閲覧保護対象情報（他者からの閲覧を阻止する保護対象情報）の設定が許容される。
【００２９】
即ち、子機２０Ａにおいて入力したパスワードと登録パスワードとの一致が確認された後、子機２０Ａにおいて閲覧保護対象情報が選択され（ステップＳ３３）、決定キーが押下されると（ステップＳ３４）、選択された保護対象情報が主装置１０に送られ（ステップＳ３５）、主装置１０の主制御部１４により、保護テーブル１５Ｃ内の該当子機２０Ａの選択保護対象情報に対応する保護ビットが“１”に設定される（ステップＳ３６）。これにより、以降、この保護対象情報についてはこの子機２０Ａの利用者以外の第三者による閲覧は不可となる。また、この子機２０Ａの本来の利用者よる閲覧も不可となる。
【００３０】
ここで、この子機２０Ａの利用者以外の第三者がこの子機２０の操作入力部２４に設けられている電話帳キー又はワンタッチキーを操作すると（ステップＳ３７）、その操作情報は主装置１０に送られる。この場合、主装置１０の主制御部１４は、保護テーブル１５Ｃの該当子機２０Ａに対応する電話帳情報又はワンタッチダイヤル情報が保護対象情報として設定されているか否かを判断し、保護対象情報（保護ビット“１”が設定されている情報）の場合は「データが保護されています」旨の表示データを子機２０Ａに送信し、子機２０Ａの表示部２５に表示させる（ステップＳ３８，Ｓ３９）。
【００３１】
このように子機２０Ａの利用者以外の第三者がこの子機２０の電話帳キー又はワンタッチキーを操作してこの子機２０Ａの電話帳情報又はワンタッチダイヤル情報を表示部２５に表示させた後、その表示を確認して電話帳発信又はワンタッチダイヤル発信を行うようにしても、これらの情報が保護対象情報の場合は表示部２５には「データが保護されています」旨の表示データが表示されるのみであり、したがって、子機２０Ａに登録されている電話帳情報又はワンタッチダイヤル情報の閲覧や発信を阻止できる。なお、この場合、この子機２０Ａの本来の利用者よる閲覧や発信も不可となる。
【００３２】
次に、子機２０Ａの利用者以外の第三者がこの子機２０の操作入力部２４を操作することにより、この子機２０Ａに対応して記録されている発信履歴情報の閲覧要求を行うと（ステップＳ４０）、この閲覧要求情報は主装置１０に送られる。この場合、主装置１０の主制御部１４は、保護テーブル１５Ｃの該当子機２０Ａに対応する発信履歴情報が保護対象情報であるか否かを判断し、保護対象情報の場合は同様に「データが保護されています」旨の表示データを子機２０Ａに送信し、子機２０Ａの表示部２５に表示させる（ステップＳ４１，Ｓ４２）。このように、子機２０Ａの利用者以外の第三者がこの子機２０を操作して子機２０Ａに対応して記録されている発信履歴情報の閲覧要求を行ってもその発信履歴情報の閲覧は阻止される。なお、この場合、この子機２０Ａの本来の利用者よる閲覧も不可となる。
【００３３】
次に、子機２０Ａの利用者以外の第三者がこの子機２０の操作入力部２４を操作することにより、この子機２０Ａに対応して記録されている着信履歴情報の閲覧要求を行うと（ステップＳ４３）、この閲覧要求情報は主装置１０に送られる。この場合、主装置１０の主制御部１４は、保護テーブル１５Ｃの該当子機２０Ａに対応する着信履歴情報が保護対象情報であるか否かを判断し、保護対象情報の場合は同様に「データが保護されています」旨の表示データを子機２０Ａに送信し、子機２０Ａの表示部２５に表示させる（ステップＳ４４，Ｓ４５）。このように、子機２０Ａの利用者以外の第三者がこの子機２０を操作して子機２０Ａに対応して記録されている着信履歴情報の閲覧要求を行ってもその閲覧は阻止される。なお、この場合、この子機２０Ａの本来の利用者よる閲覧も不可となる。
【００３４】
また、こうした子機２０Ａの利用者の個人情報である例えば着信履歴情報が保護対象情報として設定されているときに、子機２０Ａ宛の外線着信が交換網１から到来した場合は（図５のステップＳ５１）、主装置１０の主制御部１４は子機２０Ａの利用者宛の着信であると判断して、外線着信を行った発信者電話番号を取得しその取得した電話番号と、その電話番号に該当する氏名等が電話帳等に登録されていればその氏名とを、主記憶部１５内の子機２０Ａに対応する着信履歴情報記録エリア１５Ａ４に、着信履歴情報として記録する（ステップＳ５２）。そして、該当子機２０Ａへの呼出を行う（ステップＳ５３）。ここで、子機２０Ａ側でその呼出に応答すると（ステップＳ５４）、子機２０Ａの利用者による着信応答通話が行われる（ステップＳ５５）。このように、子機２０Ａの利用者の個人情報である例えば着信履歴情報記録エリア１５Ａ４の着信履歴情報が保護対象情報として設定されていても、子機２０Ａの利用者への着信時にはその着信履歴情報記録エリア１５Ａ４には着信履歴情報が記録される。
【００３５】
一方、子機２０Ａの利用者の個人情報である例えば発信履歴情報が保護対象情報として設定されているときに、子機２０Ａの操作入力部２４の操作に基づく外線発信操作が行われると（ステップＳ５６）、この操作情報は主装置１０に送られる。この場合、主装置１０の主制御部１４は、この外線発信は子機２０Ａの本来の利用者以外の第三者が発信した可能性があると判断して、この外線発信操作に基づくダイヤル番号等を発信履歴情報として子機２０に対応する発信履歴情報記録エリア１５Ａ３には記録せずに（ステップＳ５７）、子機２０Ａで操作されたダイヤル番号をダイヤル信号として外線に送出する外線発信処理を行う（ステップＳ５８）。
【００３６】
なお、子機２０Ａの利用者または他者がこの子機２０Ａの操作入力部２４に設けられた共通電話帳キーを押下すると（ステップＳ５９）、この操作情報は主装置１０に送られ、この場合、主装置１０の主制御部１４は、主記憶部１５内の共通電話帳エリア１５Ｂは保護対象情報記録エリアに該当しないことから、共通電話帳エリア１５Ｂの登録情報を子機２０Ａに送って表示部２５に表示させる（ステップＳ６０）。ここで、子機２０Ａ側で表示部２５に表示された共通電話帳情報の中から、発信先を指定し発信操作を行うと（ステップＳ６１）、これらの操作情報は主装置１０に送られ、この場合、主装置１０の主制御部１４は、指定された発信先への外線発信を行う（ステップＳ６２）。
【００３７】
なお、本実施の形態では子機２０からパスワードを入力して、入力したパスワードと登録パスワードとの一致に基づく子機２０の利用者本人の認証を行うことにより、保護対象情報などの設定を行っているが、社員番号が記憶されたＩＣカードを子機２０にかざすことにより、社員番号を入力し入力した社員番号と登録社員番号との一致に基づく利用者本人の認証や、利用者の例えば指紋を子機２０に設けられた指紋センサにより検出させこの検出された指紋情報と登録指紋情報との一致に基づく利用者本人の認証により代用することも可能である。
【図面の簡単な説明】
【００３８】
【図１】本発明に係るボタン電話装置の構成を示すブロック図である。
【図２】ボタン電話装置の主装置に設けられた主記憶部の構成を示す図である。
【図３】ボタン電話装置を構成する子機を利用する利用者の個人情報を保護対象情報として設定する動作を示すフローチャートである。
【図４】子機の利用者の個人情報が保護対象情報として設定された場合のボタン電話装置の動作を示すシーケンス図である。
【図５】子機の利用者の個人情報が保護対象情報として設定された場合のボタン電話装置の動作を示すシーケンス図である。
【符号の説明】
【００３９】
１…交換網、１０…主装置、１１ａ〜１１ｍ…外線、１２…外線Ｉ／Ｆ部、１３…内線Ｉ／Ｆ部、１４…主制御部、１５…主記憶部、１６…Ｔスイッチ、２０Ａ〜２０Ｎ…ボタン電話機（子機）、２１…伝送Ｉ／Ｆ部、２２…通話回路、２３…子機制御部、２４…操作入力部、２５…表示部、２７…送受器、２９…スピーカ。
【図１】
0004710523.tif 000002
【図２】
0004710523.tif 000003
【図３】
0004710523.tif 000004
【図４】
0004710523.tif 000005
【図５】
0004710523.tif 000006